(57)【要約】【課題】例えばＡＬＣ（軽量気泡コンクリート）パネル等の壁パネルの取付構造に係り、地震等による振動や風圧等の外力で係止プレートの端部や連結ボルトとの連結部に無理な力が掛かって変形したり、壁パネルがひび割れや破損するのを良好に防止する。【解決手段】建物の梁材Ｆ１、Ｆ２等に、縦片と横片とからなる横長のアングル材１を取付け、壁パネルＰに連結ボルト３を介して取付けた係止プレート５の一端をアングル材１の縦片１ａに係合させて壁パネルを所定の位置に保持するものにおいて、係止プレート５の両側方のアングル材の縦片と壁パネルとの間に、間隔保持スペーサを介在させて係止プレートと壁パネルとの間に隙間Ｓを設け、係止プレート５の縦片と係合する端部５ａと反対側の端部５ｂに折曲部５１を設けて壁パネルに当接させると共に、その折曲部５１と端部５ａとの間の係止プレート５のほぼ中央部に連結ボルト３の一端を連結した。【選択図】  図１
2008223293.tif 000002
【特許請求の範囲】
【請求項１】
建物の梁材等に、縦片と横片とからなる横長のアングル材を取付け、壁パネルに連結ボルトを介して取付けた係止プレートの一端を上記アングル材の縦片に係合させて上記壁パネルを所定の位置に保持させるようにした壁パネルの取付構造において、上記係止プレートの両側方のアングル材の縦片と壁パネルとの間に、間隔保持スペーサを介在させて上記係止プレートと壁パネルとの間に隙間を設け、上記係止プレートの縦片と係合する側と反対側の端部に折曲部を設けて壁パネルに当接させると共に、その折曲部と上記縦片に係合する端部との間の係止プレートのほぼ中央部に上記連結ボルトの一端を連結したことを特徴とする壁パネルの取付構造。
【請求項２】
建物の上下の梁材等に、縦片と横片とからなる横長のアングル材を取付け、その両アングル材間に配置される壁パネルの上下両端部付近に連結ボルトを介して取付けた係止プレートの一端を上記各アングル材の縦片に係合させて上記壁パネルを所定の位置に保持させるさせるようにした壁パネルの取付構造において、上記各係止プレートの両側方のアングル材の縦片と壁パネルとの間に、間隔保持スペーサを介在させて上記各係止プレートと壁パネルとの間に隙間を設け、上記各係止プレートの上記縦片と係合する側と反対側の端部に折曲部を設けて壁パネルに当接させると共に、その各折曲部と上記縦片に係合する端部との間の各係止プレートのほぼ中央部に上記各連結ボルトの一端を連結したことを特徴とする壁パネルの取付構造。
【請求項３】
上記間隔保持スペーサは、薄い金属板を断面逆Ｕ字状に屈曲形成して上記アングル材の縦片に挿入係合させる構成とし、その間隔保持スペーサの少なくとも壁パネルとの当接面側に突部を設けてなる請求項１に記載の壁パネルの取付構造。
【発明の詳細な説明】
【技術分野】
【０００１】
本発明は、例えばＡＬＣ（軽量気泡コンクリート）パネル等の壁パネルを建物の外壁や間仕切壁等として取付ける場合の取付構造に関する。
【背景技術】
【０００２】
従来、ＡＬＣパネル等の壁パネルを建物の外壁や間仕切壁として取付ける場合の取付構造は種々提案されており、その１つとして建物の上下の梁材等にアングル材を取付け、そのアングル材にイナズマプレート等の係止プレートを介して壁パネルを揺動可能に取付けるようにしたものは知られている（例えば下記特許文献１参照）。
【０００３】
図７は上記のような係止プレートを用いた従来の壁パネルの取付構造の一例を示すもので、上下の梁材Ｆ１，Ｆ２に沿って、それぞれ縦片１ａと横片１ｂとからなる横長のアングル材１を配置し、その両アングル材１・１間にＡＬＣパネル等の壁パネルＰを取付けた構成である。上記各アングル材１は、それぞれボルト等の固着具または溶接等で上記梁材Ｆ１，Ｆ２に取付けるもので、図の場合は下側の梁材Ｆ２に埋設したインサートナット１３に座付ボルト１４を上下動可能にねじ込んで該ボルト１４の座面１４ａに下側のアングル材１を載置固定し、上側のアングル材１は上側の梁材Ｆ１に埋設したインサートナット１５にボルト１６で取付けた構成である。
【０００４】
そして上記壁パネルＰの上下部に埋設したアンカー２に、連結ボルト３およびナット４を介して係止プレート５を取付け、その各係止プレート５の一端５ａを上記アングル材１の縦片１ａに係合させて上記壁パネルＰを所定の位置に保持させる構成である。なお、上下の係止プレート５，５のうち、いずれか一方、通常は下側の係止プレート５はアングル材１に溶接等で固着し、他方の係止プレート５はアングル材１に固着することなく、地震等の振動で上記壁パネルＰの上部がアングル材１に沿って摺動もしくは揺動するのを許容する構成である。
【０００５】
【特許文献１】特開２００１−１４６８０２号公報
【発明の開示】
【発明が解決しようとする課題】
【０００６】
ところが、上記従来の壁パネルの取付構造では、地震等による振動や風圧等の外力が壁パネルＰに加わった場合、特に壁パネルＰがアングル材１の縦片１ａと反対側に引っ張られるような力、すなわち壁パネルＰが上記縦片１ａから離れる方向（図７で左方）の力が作用した場合には、上記係止プレート５が連結ボルト３との連結部を中心に回動するような応力が作用する。それによって上記各係止プレート５の壁パネルＰとの当接部、すなわち上記縦片１ａと係合する側と反対側の端部には「てこの原理」によって壁パネルを強く押し付ける力が作用し、また各係止プレート５と連結ボルト３との連結部に無理な力が掛かって、その連結部が変形したり、壁パネルＰにひび割れが生じて破損する等のおそれあった。
【０００７】
本発明は上記の問題点に鑑みて提案されたもので、地震等による振動や風圧等の外力が作用した場合にも、その応力や衝撃を緩和して、係止プレート５の端部が壁パネルＰに強く押し付けられたり、係止プレート５と連結ボルト３との連結部に無理な力が掛かって該連結部が変形したり、壁パネルＰにひび割れが生じて破損するのを良好に防止することのできる壁パネル取付構造を提供することを目的とする。
【課題を解決するための手段】
【０００８】
上記の目的を達成するために本発明による壁パネルの取付構造は、以下の構成としたものである。即ち、建物の梁材等に、縦片と横片とからなる横長のアングル材を取付け、壁パネルに連結ボルトを介して取付けた係止プレートの一端を上記アングル材の縦片に係合させて上記壁パネルを所定の位置に保持させるようにした壁パネルの取付構造において、上記係止プレートの両側方のアングル材の縦片と壁パネルとの間に、間隔保持スペーサを介在させて上記係止プレートと壁パネルとの間に隙間を設け、上記係止プレートの上記縦片と係合する側と反対側の端部に折曲部を設けて壁パネルに当接させると共に、その折曲部と上記縦片に係合する端部との間の係止プレートのほぼ中央部に上記連結ボルトの一端を連結したことを特徴とする。
【０００９】
また本発明による壁パネルの取付構造は、建物の上下の梁材等に、縦片と横片とからなる上下一対の横長のアングル材を取付け、その両アングル材間に配置される壁パネルの上下両端部付近に連結ボルトを介して取付けた係止プレートの一端を上記各アングル材の縦片に係合させて上記壁パネルを所定の位置に保持させるさせるようにした壁パネルの取付構造において、上記各係止プレートの両側方のアングル材の縦片と壁パネルとの間に、間隔保持スペーサを介在させて上記各係止プレートと壁パネルとの間に隙間を設け、上記各係止プレートの上記縦片と係合する側と反対側の端部に折曲部を設けて壁パネルに当接させると共に、その各折曲部と上記縦片に係合する端部との間の各係止プレートのほぼ中央部に上記各連結ボルトの一端を連結したことを特徴とする。
【発明の効果】
【００１０】
上記のように本発明による壁パネルの取付構造は、係止プレートの両側方のアングル材の縦片と壁パネルとの間に、間隔保持スペーサを介在させて上記係止プレートと壁パネルとの間に隙間を設け、上記係止プレートの上記縦片と反対側の端部に折曲部を設けて壁パネルに当接させると共に、その折曲部と上記縦片に係合する端部との間の係止プレートのほぼ中央部に上記連結ボルトの一端を連結固定したことによって、例えば風圧や地震などの外力が上記壁パネルに加わった場合にも、その応力や衝撃が上記係止プレートと壁パネルとの間に設けた隙間によって弾力的に緩和され、係止プレートが壁パネルに強く押し付けられたり、係止プレートと連結ボルトとの連結部に無理な力が作用して該連結部が変形したり、パネルにひび割れが生じて破損するのを良好に防止することが可能となる。
【００１１】
また、上記のように壁パネルと係止プレートとの間に隙間を設けたことによって、壁パネルと係止プレートとの接触抵抗が軽減され、例えば地震等の振動で壁パネルが上記連結ボルトを中心に揺動する際にも円滑に揺動して地震等による振動や衝撃を良好に緩和することができる。さらに例えば地震や風圧等による建物の層間変形で壁パネルに面外方向の力が作用した場合には、上記連結ボルトを介して係止プレートに作用する応力は、前記従来のように壁パネルを係止プレートに密着させて取付けた場合に比べて小さくできると共に、上記係止プレートは、アングル材に対する取付位置と、壁パネルとの当接位置との間隔が大きいので弾性変形し易く、上記の層間変形で壁パネルに面外方向の大きな力が作用した場合にも上記係止プレートは良好に追従変形して上記の応力を軽減できるので耐震性や耐久性を大幅に向上させることができる等の効果がある。
【発明を実施するための最良の形態】
【００１２】
以下、本発明による壁パネルの取付構造を図に示す実施形態に基づいて具体的に説明する。図１は本発明による壁パネルの取付構造の一実施形態を示す縦断面図、図２はその一部の斜視図、図３（ａ）は図１の一部の拡大図、同図（ｂ）は間隔保持スペーサ装着部の縦断面図、図４（ａ）は上記取付構造の要部の拡大斜視図、同図（ｂ）はその分解斜視図である。なお、前記図７と同様の機能を有する部材には同一の符号を付して説明する。
【００１３】
本実施形態による壁パネルの取付構造は、前記従来例と同様に、縦片１ａと横片１ｂとからなる横長のアングル材１を上下の梁材Ｆ１，Ｆ２に沿って配置し、その両アングル材１・１間にＡＬＣパネル等の壁パネルＰを取付けた構成である。上記各アングル材１は、図の場合は上記梁材Ｆ１，Ｆ２に埋設した金属製の補強材１１，１２にそれぞれ溶接等で取付けた構成であり、下側のアングル材１の横片１ｂ上に平プレート６を介して上記壁パネルＰが載置されている。
【００１４】
上記壁パネルＰの上下部には、前記従来例と同様にそれぞれアンカー２が埋設され、その各アンカー２に連結ボルト３を介して取付けた係止プレート５の一端５ａを、上記アングル材１の縦片１ａに係合させて上記壁パネルＰを所定の位置に保持させる構成である。なお、上記実施形態においては上記各アンカー２に係止プレート５を取付ける手段として連結ボルト３のみを用いたが前記従来例と同様に連結ボルト３とナット４とを用いてもよい。
【００１５】
以上の構成は前記従来例とほぼ同様であり、本発明においては図２および図４に示すように上記係止プレート５の両側方のアングル材１の縦片１ａと壁パネルＰとの間に間隔保持スペーサ７を介在させて上記係止プレート５と壁パネルＰとの間に図３（ａ）のように隙間Ｓを設けると共に、上記係止プレート５の縦片１ａと係合する端部５ａと反対側の端部５ｂに折曲部５１を設け、その折曲部５１を壁パネルＰに当接させると共に、その折曲部５１と上記端部５ａとの間の係止プレート５のほぼ中央部に上記連結ボルト３の一端を連結したものである。
【００１６】
なお、上記図２〜図４は壁パネルＰの下部の取付構造のみを示したが、壁パネルＰの上部の取付構造もほぼ同様に構成されている。ただし、アングル材１と係止プレート５および間隔保持スペーサ７は上下逆向きに配置される。また、壁パネルＰの上面と上側のアングル材１との間には、通常前記のような平プレート６は介在されることなく、耐火目地材８等が充填される。さらに壁パネルＰと上下の梁材Ｆ１，Ｆ２との間には、バックアップ材９またはシーリング材もしくはその両方が介在される。
【００１７】
上記間隔保持スペーサ７の構成は適宜であるが、本実施形態においては図３（ｂ）および図５に示すように薄い金属板を断面逆Ｕ字状に屈曲させて、その対向片７１・７２間にアングル材１の縦片１ａを挿入するようにしたもので、それによって上記間隔保持スペーサ７をアングル材１の任意の位置に係合保持させることができる。また上記間隔保持スペーサ７の上記アングル材１と壁パネルＰとの間に介在される対向片７１には、壁パネルＰ側に突出する突部７１ａを設けることによって、上記係止プレート５と壁パネルＰとの間に所定間隔の隙間Ｓが形成されるようにしたもので、上記突部７１ａの高さ寸法を適宜変更することによって、上記の隙間Ｓの大きさ（間隔）を任意に変更することができる。図中、７２ａは上記間隔保持スペーサ７を縦片１ａに挿入する際の挿入ガイド用の折曲部である。
【００１８】
上記のようにアングル材１と壁パネルＰとの間に間隔保持スペーサ７を介在させたことによって、図１および図３（ａ）に示すように係止プレート５と壁パネルＰとの間に隙間Ｓを設け、上記係止プレート５の上記縦片１ａと係合する側と反対側の端部に折曲部５１を設けて壁パネルＰに当接させると共に、その折曲部５１と上記縦片１ａに係合する端部５ａとの間の係止プレート５のほぼ中央部に上記連結ボルト３の一端を連結したから、例えば風圧や地震などの外力が上記壁パネルＰに加わった場合にも、その壁パネルＰと、それを係止する係止プレート５との間に設けた上記の隙間Ｓによって係止プレート５や連結ボルト３に作用する応力や荷重を軽減することができると共に、上記壁パネルＰの連結ボルト挿通部に無理な力が作用してパネルＰにひび割れが生じたり破損するのを防止することができる。
【００１９】
また上記のように壁パネルＰと係止プレート５との間に隙間Ｓを設けたことによって、壁パネルＰと係止プレート５との接触抵抗が軽減され、例えば地震等の振動で壁パネルＰが連結ボルト３を中心に揺動する際にも円滑に揺動して地震等による振動や衝撃を良好に緩和することができる。さらに例えば地震や風圧等による建物の層間変形で壁パネルに面外方向の力が作用した場合には、上記連結ボルト３を介して係止プレート５に作用する応力は、前記従来のように壁パネルＰを係止プレート５に密着させて取付けた場合に比べて小さくできると共に、上記係止プレート５は、アングル材１に対する取付位置と、壁パネルＰとの当接位置との間隔が大きいので弾性変形し易く、上記の層間変形で壁パネルＰに面外方向の大きな力が作用した場合にも良好に追従変形して上記の応力を軽減できるので耐震性や耐久性を大幅に向上させることができるものである。
【００２０】
なお、上記壁パネルＰに係止プレート５を連結固定するための連結ボルト３は、それぞれ壁パネルＰに形成した孔ｈ内に挿入したアンカー２の雌ねじ穴（不図示）にねじ込んで固定するようにしたもので、図の場合は上記各アンカー２を挿入する孔ｈを、壁パネルＰの上下両端部における側方の長尺小口面から横方向に形成したが、短尺小口面から縦方向に形成してもよい。或いは上記のようなアンカー２を、壁パネルＰを製造する際に予めパネル内に埋設しておくようにしてもよい。また上記係止プレート５には、それぞれ連結ボルト３を挿通するためのボルト通し孔５０が設けられ、それらのボルト通し孔５０は図示例においては上下方向に長い長孔状に形成されている。
【００２１】
上記係止プレート５の構成は適宜であるが、その構成例および変更例を図６に基づいてまとめて説明する。図６（ａ）および（ｂ）はいずれも係止プレート５の前記縦片１ａと係合する端部５ａと反対側の端部５ｂに階段状の折曲部５１を形成したもので、その折曲部５１から係止プレート５の中央部に至る部分を、同図（ａ）は傾斜面に形成した例、同図（ｂ）は上記折曲部５１および係止プレート５の中央部に対してほぼ直角に折り曲げた例である。上記図６（ａ）の折曲部５１の先端部には、必要に応じて同図（ｃ）のように折返し部５１ａを設けるようにしてもよい。同図（ｂ）についても同様である。
【００２２】
上記図１の実施形態は、壁パネルＰの上部と下部の両方の取付構造に本発明を適用したが、上部と下部のいずれか一方にのみに本発明を適用してもよい。また上下の係止プレート５，５のうち、いずれか一方、例えば下側の係止プレート５は前記従来例と同様にアングル材１に溶接等で固着し、他方の係止プレート５はアングル材１に固着することなく、地震等の振動で上記壁パネルＰの上部がアングル材１に沿って摺動もしくは揺動するのを許容するようにしてもよい。
【００２３】
さらに上記実施形態の間隔保持スペーサ７は、薄い金属板を断面逆Ｕ字状に形成して、その対向片７１・７２間にアングル材１の縦片１ａを挿入する構成とし、そのアングル材１と壁パネルＰとの間に介在される対向片７１に突部７１ａを設けるようにしたが、上記縦片１ａと壁パネルＰとの間に、単に所定厚さの金属板等を介在させるだけでもよく、また所定厚さの金属板を断面逆Ｕ字状に形成して上記縦片１ａに係合させる構成とし、その金属板の厚さに対応した間隔の隙間Ｓが上記係止プレート５と壁パネルＰとの間に形成されるようにしてもよい。
【産業上の利用可能性】
【００２４】
上記のように本発明による壁パネルの取付構造は、建物の梁材Ｆ１，Ｆ２等に、縦片１ａと横片１ｂとからなる横長のアングル材１を取付け、壁パネルＰに連結ボルト３を介して取付けた係止プレート５の一端を上記アングル材１の縦片１ａに係合させて上記壁パネルＰを所定の位置に保持させるようにした壁パネルの取付構造において、上記係止プレート５の両側方のアングル材１の縦片１ａと壁パネルＰとの間に、間隔保持スペーサ７を介在させて上記係止プレート５と壁パネルＰとの間に隙間Ｓを設け、上記係止プレート５の縦片１ａと係合する端部５ａと反対側の端部５ｂに折曲部５１を設けて壁パネルＰに当接させると共に、その折曲部５１と上記端部５ａとの間の係止プレート５のほぼ中央部に上記連結ボルト３の一端を連結するようにしたから、例えば風圧や地震などの外力が壁パネルＰに加わった場合にも、その壁パネルＰと係止プレート５との間に設けた隙間Ｓによって係止プレート５や連結ボルト３に作用する応力や荷重を軽減することができると共に、上記壁パネルＰの連結ボルト挿通部に無理な力が作用してパネルにひび割れが生じたり破損するのを防止することができる。その結果、耐震性や耐久性を大幅に向上させることが可能となるもので、上記のような構成ならびに作用効果は、ＡＬＣパネルに限らず他の各種の壁パネルに適用した場合も同様であり、産業上も有効に利用できるものである。
【図面の簡単な説明】
【００２５】
【図１】本発明による壁パネルの取付構造の一実施形態を示す縦断面図。
【図２】上記取付構造の一部の斜視図。
【図３】（ａ）は図１の一部の拡大図、（ｂ）は間隔保持スペーサ装着部の縦断面図。
【図４】（ａ）は上記取付構造の要部の拡大斜視図、（ｂ）はその分解斜視図。
【図５】（ａ）は間隔保持スペーサの拡大斜視図、（ｂ）はその間隔保持スペーサをアングル材に装着した状態の断面図。
【図６】（ａ）および（ｂ）は係止プレートの構成例を示す斜視図。
【図７】従来の壁パネル取付構造の一例を示す縦断面図。
【符号の説明】
【００２６】
Ｆ１、Ｆ２  梁材
Ｐ  壁パネル
１  アングル材
１ａ  縦片
１ｂ  横片
２  アンカー
３  連結ボルト
５  係止プレート
５ａ、５ｂ  端部
５１  折曲部
７  間隔保持スペーサ
７１、７２  対向片
【図１】
2008223293.tif 000003
【図２】
2008223293.tif 000004
【図３】
2008223293.tif 000005
【図４】
2008223293.tif 000006
【図５】
2008223293.tif 000007
【図６】
2008223293.tif 000008
【図７】
2008223293.tif 000009